(57)【要約】【課題】掲示板に対して着脱自在であり、特定の領域を抽出して照らすことができる照明装置を提供する。【解決手段】照明装置１は、掲示板２に対して、取付部材３４、３４を介して着脱自在に装着される。支持部材３によって回動自在に支持された発光部４は、透明な筒状体４５の内部に光源を備え、筒状体４５の外側面に遮光部材４５１が貼着されている。筒状体４５を回動させることにより、遮光部材４５１が貼られていない透光部４５２から光が漏れ、この光によって掲示板２の表示面２１が照らされる。支持部材３を所望の位置に回動させることにより、光が照射される位置を適宜変更することができる。【選択図】図１
0003137966.tif 000002
【実用新案登録請求の範囲】
【請求項１】
視覚情報が表示される表示面を有する掲示板に対して着脱自在取り付けられる取付部材と、
透光可能な材料で構成された筒状体と、
該筒状体の内側に収容された光源と、
前記筒状体の両端を支持し、前記取付部材が設けられている支持部材と、
前記筒状体の表面に沿って付設され、前記筒状体透光率よりも低い透光率を有する遮光部とを備え、
前記遮光部は、前記筒状体の周方向に移動可能に構成されていることを特徴とする照明装置。
【請求項２】
前記遮光部は前記筒状体の表面に固定され、前記筒状体が前記支持部材に対して周方向に回動自在に支持されている請求項１に記載の照明装置。
【請求項３】
前記遮光部の外側面は、視覚情報を担持する表示部となっている請求項１又は２に記載の照明装置。
【請求項４】
前記掲示板の表示面は、線で構成される視覚情報を記入具により任意に記入し得る面となっている請求項１〜３のいずれか１に記載の照明装置。
【考案の詳細な説明】
【技術分野】
【０００１】
本考案は、掲示板などを照らす照明装置にかかり、照明光の照射方向を変更し得る照明装置に関する。
【背景技術】
【０００２】
従来、黒板やホワイトボードに代表されるように、掲示面に任意の情報を記入し、記入した情報を任意に消去することができる掲示板がある。このような掲示板は、例えば、料理店で日替わりメニュを表示する場合など、記入する情報が頻繁に変更される場合などに特に有用である。 
また、このような掲示板は、電光掲示板と異なり、盤面自体が発光する構成を有さないため、表示面を照らす照明装置が別途必要となり、そのような照明装置として下記特許文献１に上げられる照明装置が提案されている。
【特許文献１】実開平０６−２５８８１号
【考案の開示】
【考案が解決しようとする課題】
【０００３】
上記従来の照明装置は、掲示板に一体として取り付けられた構造となっており、昼間など、照明が不要な場合には、かえって不便である。さらに、掲示板の掲示面には、任意の位置に文字や図が記入されるので、記入された部分のみ照明を当てることが好ましい。しかし、上記従来の照明装置は、掲示面の全面に均一に照明を当てる構成となっているので、特定の部分を特に明るく照らす構成となっていない。このため、特定の部分のみに照明を当てて、記入されている特定の情報を強調する、といった手法を採ることが困難であった。
【０００４】
本考案の目的は、掲示板に対して着脱自在であり、特定の領域を抽出して照らすことができる照明装置を提供することにある。
【課題を解決するための手段】
【０００５】
以上のような問題を解決する本考案は、以下のような構成を有する。 
（１）  視覚情報が表示される表示面を有する掲示板に対して着脱自在取り付けられる取付部材と、
透光可能な材料で構成された筒状体と、
該筒状体の内側に収容された光源と、
前記筒状体の両端を支持し、前記取付部材が設けられている支持部材と、
前記筒状体の表面に沿って付設され、前記筒状体透光率よりも低い透光率を有する遮光部とを備え、
前記遮光部は、前記筒状体の周方向に移動可能に構成されていることを特徴とする照明装置。
【０００６】
（２）  前記遮光部は前記筒状体の表面に固定され、前記筒状体が前記支持部材に対して周方向に回動自在に支持されている上記（１）に記載の照明装置。
【０００７】
（３）  前記遮光部の外側面は、視覚情報を担持する表示部となっている上記（１）又は（２）に記載の照明装置。
【０００８】
（４）  前記掲示板の表示面は、線で構成される視覚情報を任意に記入し得る面となっている上記（１）〜（３）のいずれか１に記載の照明装置。
【考案の効果】
【０００９】
請求項１記載の考案によれば、取付部を介して着脱自在に掲示板に装着できるため、照明装置が不要である場合には、取り外すことができる。また、照明装置を複数種類の掲示板に装着可能となり、汎用性がある。光源からの光は、筒状体を透過して照射されるが、遮光部によって覆われた部分と、覆われていない部分の間で、光の照度差が生じ、覆われていない部分を透過する光によって、表示面が照らされる。さらに、遮光部の位置を適宜変更し、位置調節することにより、光の掲示板表示面への照射領域を調整することができ、表示面に記入された特定の情報を強調して照らすことができる。
【００１０】
請求項２記載の考案によれば、遮光部は筒状体と一体となっているため、筒状体を回動させることにより、遮光部の位置を調整し、光の照射領域の調節が可能となる。 
請求項３記載の考案によれば、遮光部を透過する光によって、担持された視覚情報を浮き立たせる効果が発揮される。 
請求項４記載の考案によれば、掲示板の表示面は、視覚情報を、任意位置に記入可能であるため、情報が担持される位置が変化する。これに対して、遮光部の位置を調整することにより、情報が記入されている位置に照明光を照射することが可能となる。
【考案を実施するための最良の形態】
【００１１】
以下添付図面に基づいて、本考案の好適実施形態について説明する。図１は、本考案の照明装置１を掲示板２に装着した状態を示す全体斜視図、図２は、照明装置１の背面側を示す全体斜視図である。 
照明装置１は、発光部４と、発光部４を支持する支持部材３とを備えている。支持部材３には、掲示板２に照明装置１を取り付けるための取付部材３４、３４が設けられている。照明装置１は、掲示板２の上縁部に取付部材３４、３４によって取り付けられ、掲示板２の表示面２１に発光部４からの照明光が照射される構成となっている。
【００１２】
支持部材３は、長尺の発光部４に沿って配置された矩形状の基台３１と、基台３１の両端に立設され、相互に平行に設けられている支持部３２、３３とを有している。基台３１には、２つの取付部材３４、３４が取り付けられている。取付部材３４、３４は、基台３１の両端から同じ距離にそれぞれ設けられている。板状の取付部材３４、３４には、中央部でＵ字形状に湾曲形成された湾曲部３４３と、該湾曲部３４３を挟んで、互いに平行配置された取付部３４１と、フック部３４２とが設けられている。取付部３４１は、それぞれ基台３１にボルトなどによって締着されている。フック部３４２と基台３１との間には、隙間３４４が形成され、この隙間３４４に、掲示板２の上端辺が挿入される。
【００１３】
支持部材３の支持部３２、３３の間には発光部４が支持されている。支持部３２、３３には、それぞれ発光部４を支持するための接続部材５ａ、５ｂが設けられている。図３は、支持部３２の断面正面図、図４は、断面側面図である。支持部３３は、支持部３２と構成が対称構造となっているので、支持部３２について、以下に説明し、支持部３３についての説明は省略する。支持部３２は、中心部の厚さ方向に形成された孔３２１を有している。孔３２１には、接続部材５ａが、外側から内側へ向けて挿入されている。
【００１４】
接続部材５ａは、円板状の端面部５１と、端面部５１の中心に形成された挿通孔５１１と、端面部５１の片面に形成された筒状の挿入部５１２とを備えている。挿入部５１２は、孔３２１内に嵌め合され、回動自在に摺動する。挿入部５１２は、支持部３２の内側（支持部３３との対向面側）に突出し、該突出部分に押え部材５２が外嵌されている。押え部材５２と挿入部５１２の外周面との間には、筒状体４５の端部が介挿されている。筒状体４５は、押え部材５２側に固定されており、押え部材５２と筒状体４５は、挿入部５１２に対して相対的に回動可能な構造となっている。筒状体４５は、例えばポリカーボネート樹脂など、透明な材料で構成されており、外周面には、シート状の遮光部材４５１が貼り付けられている。遮光部材４５１の外側面には、文字、図形等の視覚情報４５１ａを担持することのできる表示部４５１ｐとなっている。遮光部材４５１は、光の透過率が、筒状体４５よりも低い材料で構成されている。遮光部４５１は、光源からの光が、掲示板２を目視する人の目に直接入ることを抑制する位置に配置されることが好ましい。この場合、遮光部材４５１を透過する一部の光は、遮光部材４５１の外側面に表示された視覚情報４５１ａを、視覚的に強調する作用を有し、掲示板２の表示面２１に表示されている視覚情報と異なる視覚的な印象を、視認者に与えるように作用する。
【００１５】
なお、遮光部材４５１の裏側面（光源側に位置する面）を鏡面又は白色として、遮光部材４５１が配置されていない透光部４５２から照射される光の明るさを増加させる構成としてもよい。図４に示されているように、遮光部材４５１が設けられている範囲は、特に限定されないが、例えば周方向において３０〜８５％程度あるとよい。３０％以上であると、掲示板２を目視する人の目に光源の光が直接入ることを抑制する効果が十分に得られる。８５％以下であると、透光部４５２において光を絞り、照明に対して、より明確な指向性を付与させることができる。
【００１６】
一方、挿入部５１２の内周壁には、筒状のカバー４４が嵌入固定されている。カバー４４は透明な材料で構成されており、カバー４４の内部には、基板４１が挿入されており、基板４１の両端は、接続部材５ａ、５ｂの各端面部５１の内壁に固定され、カバー４４の内空４４１内に固定されている。 
図５は、発光部４の部分断面斜視図である。基板４１には、所定の間隔で光源として複数の発光ダイオード４２が設けられている。これらの発光ダイオード４２は、基板４１に設けられた電子回路４３を介して供給される電力により発光する。電子回路４３に電力を供給する電線４３１は、接続部材５ａの端面部５１に形成された挿通孔５１１を挿通し、外側の電源に接続されている。発光ダイオード４２は、左右接続部材５ａ、５ｂの間で、等間隔で配置される。
【００１７】
以上のような構成によって、カバー４４及び基板４１は、一体として接続部材５ａ、５ｂとともに回動し、また、筒状体４５は、基板４１に対して独立して回動可能に構成される。このような構成により、発光ダイオード４２は、基板４１の片側に配置されているので、発光ダイオード４２に透光部４５２の位置を合わせることにより、発光ダイオード４２の光が最も強く外側へ照射される。また、発光ダイオード４２に対向する位置に遮光部材４５１を位置させ、遮光部材４５１からの反射光を透光部４５２から照射する構成とすることもできる。
【００１８】
さらに、筒状体４５を接続部材５ａ、５ｂに対して固定し、基板４１と一体として回動する構成してもよい。この場合には、発光ダイオード４２に対する透光部４５２の位置は固定され、発光部４全体を一体回動させることにより、掲示板２に照射される光の向きが調整される。 
図１に示す例では、遮光部材４５１の表示部４５１ｐには、「フランス料理」なる表示があり、例えば、フランス料理店の店先に設けられ掲示板として利用される。さらに、掲示板２の表示面２１には、例えば、メニュが手書きで記載され、透光部４５２からの光によって、記載されたメニュの内容が照らされる。また、表示部４５１ｐの「フランス料理」は、筒状体４５の内側の発光ダイオードによって内側から照らされ、表示面２１に照らされる光とは異なる趣で、「フランス料理」という文字情報を強調する。 
上記説明した構成の他、取付部３４に代えて、基台３１の背面側にマグネット３４Ｍを設け、掲示板２の表面に磁力により固定する構造としてもよい。
【図面の簡単な説明】
【００１９】
【図１】本考案の照明装置の正面側を示す全体斜視図である。
【図２】本考案の照明装置の背面側を示す全体斜視図である。
【図３】接続部材の部分断面正面図である。
【図４】接続部材の部分断面側面図(図３におけるＡ−Ａ断面図)である。
【図５】発光部の部分断面正面図である。
【符号の説明】
【００２０】
１  照明装置
２  掲示板
３  支持部材
３４  取付部材
４  発光部
４２  発光ダイオード
４５  筒状体
４５１  遮光部材
【図１】
0003137966.tif 000003
【図２】
0003137966.tif 000004
【図３】
0003137966.tif 000005
【図４】
0003137966.tif 000006
【図５】
0003137966.tif 000007